(57)【要約】      （修正有）【課題】地震頻発時や停電時に空気圧浮動式免震装置のエアータンク内の有限の圧縮空気を有効に使用するため空気圧浮動式免震装置の作動を制御するコントロールボックスを提供する。【解決手段】揺れを感知し建物全体、床部又は免震台のいずれかを空気圧で浮上させる空気圧浮動式免震装置を制御するコントロールボックスであって、揺れを感知する感振器１６と、指定範囲の揺れの周波数を通過させ、指定範囲外の周波数をカット又は減衰させるバンドパスフィルターを備えた加速度センサ１５とを備える。感振器と加速度センサから得た数値が指定値に応じて地震時に空気圧浮動式免震装置を作動させる通常モードと空気節約モードを選択できる。【選択図】図２
0003170212.tif 000002
【実用新案登録請求の範囲】
【請求項１】
建物に設置され揺れを感知して前記建物全体、床部または免震台のいずれかを空気圧で浮上させる空気圧浮動式免震装置を制御するコントロールボックスであって、
地震の揺れを感知する感振器と、
指定範囲の揺れの周波数を通過させ、指定範囲外の周波数をカット又は減衰させるバンドパスフィルターを備えた加速度センサとを備え、
前記感振器と加速度センサから得られた数値が指定値以上である地震のたびに前記空気圧浮動式免震装置を作動させる通常モードと、
前記感振器と加速度センサから得られた数値が指定値以上である地震の発生後、所定時間は前記指定値よりも高く設定される揺れの強い地震時のみ前記空気圧浮動式免震装置を作動させ、前記所定時間経過後に再度前記指定値で空気圧浮動式免震装置を作動可能とする空気節約モードを選択することができるコントロールボックス。
【請求項２】
前記空気圧浮動式免震装置に備えた圧縮エアータンクに接続され、前記エアータンク内の空気圧を感知し、前記エアータンク内の空気圧が規定値を下回った際に、１００ｇａｌ以上の地震発生時のみ前記空気圧浮動式免震装置が作動する設定に変更する圧力スイッチを備えたことを特徴とする請求項１に記載のコントロールボックス。
【請求項３】
前記所定時間を、４８時間としたことを特徴とする請求項１に記載のコントロールボックス。
【考案の詳細な説明】
【技術分野】
【０００１】
本考案は、建物の基礎底盤上に盤を設け、前記基礎底盤と盤の周囲の隙間から空気が漏れないようシール材を設け、地震発生時に前記基礎底盤と盤の間に空気を供給することにより前記建物を浮上させて免震効果を発揮する空気圧浮動式免震装置を制御するコントロールボックスに関する。
【背景技術】
【０００２】
特許文献１に示すように、地震から建物及び建物内の家財並びに居住者等を守るため、建物の基礎底盤上に盤を設け、前記基礎底盤と盤の周囲の隙間から空気が漏れないようシール材を設け、地震発生時に前記基礎底盤と盤の間に空気を供給することにより前記建物を浮上させて免震効果を発揮する空気圧浮動式免震装置などが公開されている。
【０００３】
しかしながら、特許文献１に記載の考案は、地震の度に、地震を感知したバルブが開き、建物と一体となる盤と底盤の隙間に圧縮空気が注入され、建物が浮上するもので、比較的揺れの弱い地震であってもバルブが開いて作動するため、余震が続く時などはエアータンク内の圧縮空気を頻繁に使用するため、いざ大きな地震が発生した時には圧縮空気が不足し、建物を浮上させることができなくなるという心配があった。
【０００４】
また、大きな地震の発生後に電力供給が停止することがあるが、その間に比較的大きな余震が発生しても電力停止によりコンプレッサーが作動せず建物を浮上させることができなくなるという問題があった。
【先行技術文献】
【特許文献】
【０００５】
【特許文献１】実願２００５−９２００号公報
【考案の概要】
【考案が解決しようとする課題】
【０００６】
そこで、本考案は、地震頻発時や停電時に空気圧浮動式免震装置に設置される使用量が限らたエアータンク内の圧縮空気を有効に使用するため前記空気圧浮動式免震装置の作動を制御するコントロールボックスを提供する。
【課題を解決するための手段】
【０００７】
本考案は、上記の課題を解決するために、建物に設置され揺れを感知して前記建物全体、床部または免震台のいずれかを空気圧で浮上させる空気圧浮動式免震装置を制御するコントロールボックスであって、地震の揺れを感知する感振器と、指定範囲の揺れの周波数を通過させ、指定範囲外の周波数をカット又は減衰させるバンドパスフィルターを備えた加速度センサとを備え、前記感振器と加速度センサから得られた数値が指定値以上である地震のたびに前記空気圧浮動式免震装置を作動させる通常モードと、前記感振器と加速度センサから得られた数値が指定値以上である地震の発生後、所定時間は前記指定値よりも高く設定される揺れの強い地震時のみ前記空気圧浮動式免震装置を作動させ、前記所定時間経過後に再度前記指定値で空気圧浮動式免震装置を作動可能とする空気節約モードを選択することができるコントロールボックスの構成とした。
【０００８】
また、前記空気圧浮動式免震装置に備えた圧縮エアータンクに接続され、前記エアータンク内の空気圧を感知し、前記エアータンク内の空気圧が規定値を下回った際に、１００ｇａｌ以上の地震発生時のみ前記空気圧浮動式免震装置が作動する設定に変更する圧力スイッチを備えたことを特徴とするコントロールボックスの構成とした。
【０００９】
更に、前記所定時間を、４８時間としたことを特徴とするコントロールボックスの構成とした。
【考案の効果】
【００１０】
本考案は上記のような構成であるため、空気圧浮動式免震装置の作動を制御することができるため、空気圧浮動式免震装置に設置されるエアータンクの圧縮空気を効率的に使用することができる。
【００１１】
また、停電時には、限られた圧縮空気をより効率的に使用することができる。
【図面の簡単な説明】
【００１２】
【図１】本考案である空気圧浮動式免震装置のコントロールボックスを示す図である。
【図２】本考案である空気圧浮動式免震装置のコントロールボックスの回路図である。
【図３】本考案である空気圧浮動式免震装置のコントロールボックスと空気圧浮動式免震装置を接続するケーブルを示す図である。
【図４】本考案である空気圧浮動式免震装置のコントロールボックスのフローチャートである。
【考案を実施するための形態】
【００１３】
以下、添付の図面を参照し、本考案の実施の形態について詳細に説明する。
【実施例１】
【００１４】
先ず、図１から図３を使用して、本考案であるコントロールボックスを構成する各部を説明する事とする。
【００１５】
図１は本考案である空気圧浮動式免震装置のコントロールボックスを示す図、図２は空気圧浮動式免震装置のコントロールボックスの回路図、図３は空気圧浮動式免震装置のコントロールボックスと空気圧浮動式免震装置を接続するケーブルを示す図である。
【００１６】
図１に示すように、本考案であるコントロールボックス１は、略直方体状のボックス２からなり、前記ボックス２の正面２ａにコントロールボックス１の動作モードを切り替える切替スイッチ４、指定箇所の作動状態を表示する表示部３、前記コントロールボックス１の動作確認を行う動作テストボタン５、前記コントロールボックス１を接続した空気圧浮動式免震装置の作動を中止及び異常時に鳴動するフリッカーブザーを中止するリセットボタン５ａ、指定箇所の動作時間を調節する調節部６及び複数の保護ヒューズを備えている。
【００１７】
前記切替スイッチ４で切り替えることができる動作モードは、通常モードと空気節約モードであり、前記通常モードは指定値以上の地震を感知するたびに前記空気圧浮動式免震装置が作動するモードであり、前記空気節約モードは指定値以上の地震を感知し空気圧浮動式免震装置を作動させた後、所定時間の間は前記指定値よりも更に高く設定した強い揺れの地震が発生したときのみ空気圧浮動式免震装置が作動し、所定時間経過後は前記指定値で空気圧浮動式免震装置が作動するモードである。
【００１８】
前記表示部３は、エアバランサランプ３ａ、浮上ランプ３ｂ、位置修正ランプ３ｃ、４８時間空気節約ランプ３ｄ、空圧異常ランプ３ｅ、電圧異常ランプ３ｆ及び監視中ランプ３ｇからなる。
【００１９】
エアバランサ用電磁弁が作動している場合は前記エアバランサランプ３ａが点灯し、浮上用電磁弁が作動している場合は前記浮上ランプ３ｂが点灯し、位置修正用電磁弁が作動している場合は前記位置修正ランプ３ｃが点灯する。
【００２０】
前記切替スイッチ４で空気節約モードを選択している場合で、指定値以上の地震により空気圧浮動式免震装置を作動させた後の所定時間、即ち、指定値以上の強い地震時のみ作動する待機時間内は、前記４８時間空気節約ランプ３ｄが点灯する。前記４８時間空気節約ランプ３ｄは、所定時間経過後に消灯する。
【００２１】
バッテリー電圧が１０．０Ｖ以下となった場合、バッテリーの寿命と判断し交換を促すため、前記電圧異常ランプ３ｆが点灯し、同時にブザー２８が鳴動する。前記の判断は、回路内で基準電圧を作り、入力電圧との比較をコンパレーターにより行う事で判断する。
【００２２】
空気圧浮動式免震装置のエアータンク２０の残量が不足した場合、前記空圧異常ランプ３ｆが点灯し、同時にブザー２８が鳴動する。このブザー２８の音は前記リセットボタン５ａにより止めることができるが、エアータンク２０の残量不足が解消されるまでは前記空圧異常ランプ３ｆは点灯し続け、前記ブザー２８も再度鳴動する。尚、前記エアータンク２０の残量不足を判断する基準については、エアータンク２０側に接続する空圧スイッチ２７で設定する。
【００２３】
前記監視中ランプ３ｇは、コントロールボックス１を作動させている状態、即ち、地震を監視し待機している状態の間は点灯している。尚、地震を監視し待機している状態とは、前記通常モードまたは空気節約モードのことである。
【００２４】
前記動作テストボタン５は、空気圧浮動式免震装置の動作テストを行う場合に使用するボタンで、このボタンにより「浮上」「エアバランサー」「位置修正装置」が順次動く。
【００２５】
前記リセットボタン５ａは、空気圧浮動式免震装置の動作中に所定時間（例えば５秒以上）押すことでリセット音が鳴り、前記空気圧浮動式免震装置の作動を中止させることができる。また、前述の通り、電圧異常ランプ３ｆや空圧異常ランプ３ｅが点灯し、ブザー２８が鳴動している時に、前記リセットボタン５ａを所定時間（前記空気圧浮動式免震装置の作動を中止する際の所定時間とは異なる時間、例えば１秒程度）押すことでブザー２８の音のみ停止させることができる。尚、電圧異常の場合ブザー２８の鳴動のみを停止させることができ、異常原因を解消するまでは各異常ランプは点灯し、空圧異常の場合は、ブザー２８を停止しても異常原因が解消されなければ再度鳴動する。
【００２６】
前記調整部６は、バランサ時間調整ノブ６ａ、浮上時間調整ノブ６ｂ及び位置修正時間ノブ６ｃからなる。前記バランサ時間調整ノブ６ａはエアバランサー用電磁弁の動作時間を１０秒から１１０秒の間で変更することができ初期設定は３０秒である。また、前記浮上時間調節ノブ６ｂは浮上バルブ用電磁弁の動作時間を３秒から２８秒の間で変更する事ができ初期設定は８秒である。更に、前記位置修正時間ノブ６ｃは位置修正装置の動作時間を３０秒から１２０秒の間で変更する事ができ初期設定は６０秒である。
【００２７】
前記保護ヒューズは、エアバランサー用電磁弁の保護ヒューズ７、操作機器保護ヒューズ７ａ、位置修正用電磁弁の保護ヒューズ７ｂ及び浮上用電磁弁保護ヒューズ７ｃの４つからなる。
【００２８】
本考案であるコントロールボックス１の異常で過電流が流れた場合、前記操作機器保護ヒューズ７ａが溶断し、前記監視中ランプ３ｇは消灯する。また、電磁弁の配線が短絡した場合は、それぞれに対応するヒューズ（エアバランサー用電磁弁の保護ヒューズ７ａ、位置修正用電磁弁の保護ヒューズ７ｂ、浮上用電磁弁保護ヒューズ７ｃ）が溶断し、溶断したヒューズに対応した電磁弁のみが作動しなくなる。
【００２９】
前記ボックス２の背面２ｂには、本考案であるコントロールボックス１を前記空気圧浮動式免震装置に接続するするためのコネクタ８ａ、外付けの地震検出装置を任意に接続する外部接点８ｂ、前記圧力スイッチを接続する空圧接点８ｃ、アース８ｄからなる接続部８を備えている。
【００３０】
前記コネクタ８ａは、８つの孔からなり、図３に示すケーブル１７の接続部１７ａを接続してコントロールボックス１と空気圧浮動式免震装置を接続する。
【００３１】
前記外部接点８ｂは、コントロールボックス１に地震検出装置を外部接続するための接点であり、前記空圧接点８ｃはスイッチ内蔵圧力計を接続するための接点である。前記スイッチ内蔵圧力計は空気圧浮動式免震装置のエアータンク２０に接続されており、エアータンク２０の残量不足を監視する。
【００３２】
前記ボックス２の上面２ｃには、本考案であるコントロールボックス１の運転モードを切り替えるための運転モード切替スイッチ９、地震のタテ揺れ感度を調節するボリューム１０、地震のヨコ揺れ感度を調節するボリューム１１及び主電源である電源スイッチ１２を備えている。
【００３３】
前記運転モード切替スイッチ９は、設置モードと運用モードを切り替えるスイッチで、前記設置モードでは、コントロールボックス１が作動し電磁弁の作動ランプが点灯しても実際に空気圧浮動式免震装置の電磁弁は作動することはないため、コントロールボックス１の設置が完了するまでの間、選択するモードである。
【００３４】
一方、前記運用モードは電磁弁の作動ランプの通り実際に空気圧浮動式免震装置の電磁弁が動作するため、コントロールボックス１の設置が完了し、地震を感知する待機状態とする場合に選択するモードである。
【００３５】
前記タテ揺れ感度調整ボリューム１０は、Ｐ波に代表される地震の縦揺れに対するセンサーの感度を調節するボリュームで、時計回りボリュームをひねると感度が高くなり、少しの揺れでもコントロールボックス１が作動する。
【００３６】
前記ヨコ揺れ感度調整ボリューム１１は、Ｓ波に代表される地震の横揺れに対するセンサーの感度を調節するボリュームで、タテ揺れ感度調整ボリューム１０と同じく、時計回りにボリュームをひねると感度が高くなり、少しの揺れでコントロールボックス１を作動させることができる。
【００３７】
前記電源スイッチ１２は、本考案であるコントロールボックス１の主電源であり、手前がＯＦＦ、奥側でＯＮとなる。コントロールボックス１の電源スイッチ１２をＯＮにする際は、基本的に前記運転モード切替スイッチ９を設置モードにしておく。
【００３８】
図２に示すように、本考案であるコントロールボックス１の内部には、マイコン基板１３と前記マイコン基板１３に接続されたセンサー基板１４並びに感振器１６が設置されている。
【００３９】
図２に示すように、前記マイコン基板１３はマイコン１３ａを備えており、前記マイコン１３ａは前記表示部３、電源１２、動作テストボタン５、リセットボタン５ａ、動作モード切替スイッチ９、調整部６、各ヒューズ７〜７ｃ、接続部８、感振器１６に接続されている。
【００４０】
前記センサー基板１４は、前記タテ揺れ感度調整ボリューム１０、ヨコ揺れ感度調整ボリューム１１に接続され、前記加速度センサ１５を備えている。
【００４１】
前記動作モード切替スイッチ９は、浮上用電磁弁のタイマー、バランサ用電磁弁のタイマー及び位置修正用電磁弁のタイマーに接続されている。
【００４２】
前記浮上用電磁弁のタイマーは前記浮上時間調整ノブ６ｂに接続されると共に出力回路を介してコネクタ８及び浮上用電磁弁保護ヒューズ７ｃに接続されている。
【００４３】
同じく、前記バランサ用電磁弁のタイマーは前記バランサ時間調節ノブ６ａに接続されると共に出力回路を介してコネクタ８及びエアバランサー用電磁弁の保護ヒューズ７に接続されている。
【００４４】
同じく、前記位置修正用電磁弁のタイマーは前記位置修正時間ノブ６ｃに接続されると共に出力回路を介してコネクタ８及び位置修正用電磁弁保護ヒューズ７ｂに接続されている。
【００４５】
前記電源１２は、更に前記操作機器保護ヒューズ７ａに接続されている。また、前記電源１２とマイコン１３ａは電圧異常判定器に接続されている。
【００４６】
前記センサー基板１４のタテ揺れ感度調整ボリューム１０はコンパレーター２２ｂを介して、前記マイコン基板１３に接続されており、前記コンパレーター２２ｂはアンプ２３ｂ及びバンドパスフィルター２４ｂを介して加速度センサ１５のセンサＺに接続されている。
【００４７】
前記センサー基板１４のヨコ揺れ感度調節ボリューム１１のＸ軸はコンパレーター２２を介して、前記マイコン基板１３に接続されており、前記コンパレーター２２はアンプ２３及びバンドパスフィルター２４を介して加速度センサ１５のセンサＸに接続されている。
【００４８】
前記センサー基板１４のヨコ揺れ感度調節ボリューム１１のＹ軸はコンパレーター２２ａを介して、前記マイコン基板１３に接続されており、前記コンパレーター２２ａはアンプ２３ａ及びバンドパスフィルター２４ａを介して加速度センサ１５のセンサＹに接続されている。
【００４９】
図３に示すように、前記ケーブル１７は八本のケーブル１７ｂ〜１７ｉからなり、それぞれのケーブル１７ｂ〜１７ｉの一端は接続部１７ａを構成している。
【００５０】
前記ケーブル１７ｂはバッテリー１９のプラス極、前記ケーブル１７ｃはバッテリー１９のマイナス極に接続され、前記バッテリー１９は充電器１９ａと接続される。符号１９ｂは前記充電器１９ａのコンセントを示している。
【００５１】
前記ケーブル１７ｄ、１７ｅはエアバランサ用電磁弁１８に接続され、前記エアバランサー用電磁弁１８は、バルブ２１に接続されている。また前記バルブ２１はエアータンク２０と空気抜出し口２６に接続されている。更に、前記エアータンク２０はコンプレッサー２５に接続されている。
【００５２】
前記ケーブル１７ｆ、１７ｇは浮上用電磁弁１８ａに接続され、前記浮上用電磁弁１８ａはバルブ２１に接続されている。また前記バルブ２１はエアータンク２０と空気抜出し口２６ａに接続されている。更に、前記エアータンク２０はコンプレッサー２５に接続されている。
【００５３】
前記ケーブル１７ｈ、１７ｉは位置修正用電磁弁１８ｂに接続され、前記位置修正用電磁弁１８ｂはバルブ２１に接続されている。また前記バルブ２１はエアータンク２０と空気抜出し口２６ｂに接続されている。更に、前記エアータンク２０はコンプレッサー２５に接続されている。
【００５４】
次に図４を使用して、本考案であるコントロールボックス１の動作の流れを説明する事とする。
【００５５】
図４に示すように、コントロールボックス１中では、電源投入後、「装置初期化」、「リセット釦処理」、「電圧異常」、「空圧異常」、「動作テスト」、「地震感知」、「シーケンス実行」、「電磁弁出力」という処理が実行される。
【００５６】
「装置初期化」では、コントロールボックス１の電源投入時に電圧異常ブザー、電圧異常ＬＥＤ表示、空圧異常ブザー、空圧異常ＬＥＤ表示、シーケンス実行及び４８時間タイマーカウントが初期値にセットされ、それを知らせるブザーが鳴動する。
【００５７】
「リセット釦処理」は、監視ＬＥＤが点滅しブザー２８が鳴動した時に、ブザー２８の鳴動を中止、又は、空気圧浮動式免震装置の動作中にその動作を中止させる処理である。
【００５８】
空圧異常や電圧異常で監視ＬＥＤが点滅し、ブザー２８が鳴動した場合、前記リセット釦を所定の時間（例えば１秒）押下することによりブザー２８の鳴動が中止される。尚、監視ＬＥＤの点滅は、異常原因が解消されるまで点滅している。
【００５９】
地震の発生により空気圧浮動式免震装置が動作した場合、前記リセット釦を所定の時間（前記異常の際に押下する時間とは異なる時間で、例えば５秒）押下することにより電圧異常ブザー、電圧異常ＬＥＤ表示、空圧異常ブザー、空圧異常ＬＥＤ表示、シーケンス実行、４８時間タイマカウント、各電磁弁タイマーリセット、全出力リセットが行われ空気圧浮動式免震装置の動作が中止される。
【００６０】
「電圧異常」は、コントロールボックス１に接続されるバッテリーが所定の電圧（例えば１０Ｖ）を下回った場合、バッテリーの寿命と判断され電圧異常ランプが点滅し、ブザー２８が鳴動する。ブザー２８については、前記リセット釦の押下で停止することができ、電圧異常ランプについてはバッテリーの交換等の方法により所定の電圧以上にすることで消灯する。
【００６１】
「空圧異常」は、コントロールボックス１で監視している空気圧浮動式免震装置の圧縮エアータンク２０の残量が空圧スイッチ作動設定圧力を下回った場合、異常と判断し空圧異常ランプが点滅し、ブザー２８が鳴動する。空圧異常の場合、前記リセット釦によりブザー２８を停止させることができるが、異常原因が解消されなければ再度鳴動する。そして、空圧異常ランプが点灯している間は圧縮エアータンク２０内の圧縮空気を節約するため通常モードで設定している地震の加速度よりも高い加速度（例えば１００ｇａｌ〜１７０ｇａｌ）の揺れで空気圧浮動式免震装置が作動するよう変更される。
【００６２】
「動作テスト」では、空気圧浮動式免震装置が正常に動作するかどうかの確認や、地震の後、位置修正装置を動作させて位置を直す。動作テスト釦を押下した際に他のシーケンスが実行されていた場合、動作テストは実行されない。他のシーケンスが実行されていないことを確認し動作テスト釦を押下すると動作テストのシーケンスが実行され「浮上」「エアバランサー」「位置修正装置」が順次動作する。
【００６３】
「地震感知」の際、コントロールボックス１が所定（４８）時間のタイマーカウント中、若しくは圧縮エアータンク２０の空圧が少なくなっている場合、感振器が所定の加速度（１００ｇａｌ〜１７０ｇａｌ程度）を検出しなければ浮上バルブやエアバランサーは作動しない。
【００６４】
また、４８時間のタイマーカウント中でも空圧異常でもない場合は、感振器又は加速度センサが所定の加速度（５０ｇａｌ程度）を検出すると浮上バルブやエアバランサーが作動する。この場合、前記通常モードで検出している場合は、次に検出した加速度が５０ｇａｌ程度であっても浮上バルブやエアバランサーを作動させ、前記空気節約モードで検出した場合は所定（４８）時間タイマーカウントが作動し、所定時間内は通常よりも強い揺れ（１００ｇａｌ〜１７０ｇａｌ程度）を検出しない限り浮上バルブやエアバランサーは作動しない。
【００６５】
尚、所定（４８）時間タイマーカウント中は４８時間空気節約ランプが表示され、所定（４８）時間経過するとタイマーは自動でリセットされ４８時間空気節約ランプが消灯する。
【００６６】
「シーケンス実行」は、地震発生時に浮上バルブやエアバランサーを作動させる、所謂監視中と、コントロールボックス１の設置後や地震が発生し空気圧浮動式免震装置が作動した後に行う動作テストがある。それぞれのシーケンスは他のシーケンスが実行されている間は行う事ができない。
【００６７】
「電磁弁出力」は、浮上出力、エアバランサ出力、位置修正出力が出力された際各表示ランプが点灯し、前記運用モード中に出力された場合は対応した各電磁弁がＯＮとなり、設置モード中の出力された場合は表示ランプの点灯のみが行われ、各電磁弁は作動しない。
【００６８】
以上のような構成から、本考案であるコントロールボックス１は、建物に設置され揺れを感知して前記建物全体、床部または免震台のいずれかを空気圧で浮上させる空気圧浮動式免震装置を制御するコントロールボックスであって、地震の揺れを感知する感振器と、指定範囲の揺れの周波数を通過させ、指定範囲外の周波数をカット又は減衰させるバンドパスフィルターを備えた加速度センサとを備え、前記感振器と加速度センサから得られた数値が指定値以上である地震のたびに前記空気圧浮動式免震装置を作動させる通常モードと、前記感振器と加速度センサから得られた数値が指定値以上である地震の発生後、所定時間は前記指定値よりも高く設定される揺れの強い地震時のみ前記空気圧浮動式免震装置を作動させ、前記所定時間経過後に再度前記指定値で空気圧浮動式免震装置を作動可能とする空気節約モードを選択することができる。
【００６９】
また、本考案であるコントロールボックス１は前記空気圧浮動式免震装置に備えた圧縮エアータンク２０に接続され、前記エアータンク内の空気圧を感知し、前記エアータンク内の空気圧が規定値を下回った際に、１００ｇａｌ以上の地震発生時のみ前記空気圧浮動式免震装置が作動する設定に変更する圧力スイッチを備えたことを特徴とする。
【００７０】
尚、前記床部とは、手術室や薬品庫、製造プラント等の床を指し、前記床部の下に空気圧浮動式免震装置を設置し、地震発生時に床部を空気圧で浮上させ前記床部上にある設備や人を守る。また、前記免震台とは水槽の下、展示物、文化財、精密機器等の下に設置され地震発生時に台座部分を空気圧で浮上させ免震台上に載置されているものを守る装置である。
【産業上の利用可能性】
【００７１】
本考案であるコントロールボックスは、空気圧浮動式免震装置の圧縮空気の無駄な使用を抑えて効率的に使用することができるため、耐震設備を必要とする様々な業界に多大な貢献をもたらす。
【符号の説明】
【００７２】
１      コントロールボックス
２      ボックス
２ａ    正面
２ｂ    背面
２ｃ    上面
３      表示部
３ａ    エアバランサランプ
３ｂ    浮上ランプ
３ｃ    位置修正ランプ
３ｄ    ４８時間空気節約ランプ
３ｅ    空圧異常ランプ
３ｆ    電圧異常ランプ
３ｇ    監視中ランプ
４      モード切替スイッチ
５      動作テストボタン
５ａ    リセットボタン
６      調整部
６ａ    バランサ時間調整ノブ
６ｂ    浮上時間調整ノブ
６ｃ    位置修正時間ノブ
７      エアバランサー用電磁弁保護ヒューズ
７ａ    操作機器保護ヒューズ
７ｂ    位置修正用電磁弁保護ヒューズ
７ｃ    浮上用電磁弁保護ヒューズ
８      接続部
８ａ    コネクタ
８ｂ    外部接点
８ｃ    空圧接点
８ｄ    アース
９      運転モード切替スイッチ
１０    タテ揺れ感度調整ボリューム
１１    ヨコ揺れ感度調整ボリューム
１２    電源スイッチ
１３    マイコン基板
１３ａ  マイコン
１４    センサー基板
１５    加速度センサ
１６    感振器
１７    ケーブル
１７ａ  接続部
１７ｂ〜１７ｉ  ケーブル
１８    エアバランサ用電磁弁
１８ａ  浮上用電磁弁
１８ｂ  位置修正用電磁弁
１９    バッテリー
１９ａ  充電器
１９ｂ  コンセント
２０    エアータンク
２１    バルブ
２２〜２２ｂ    コンパレーター
２３〜２３ｂ    アンプ
２４〜２４ａ    バンドパスフィルター
２５    コンプレッサー
２６〜２６ｂ    空気抜出し口
２７    空圧スイッチ
２８    ブザー
【図１】
0003170212.tif 000003
【図２】
0003170212.tif 000004
【図３】
0003170212.tif 000005
【図４】
0003170212.tif 000006